(57)【要約】【課題】  折れ難い建造物を提供する。【解決手段】建造物１の中空部内に、アスファルト系乳剤とセメントとゲル化剤との混合組成物を含む折れ抑制剤７を装填したことを特徴とする。【選択図】図１
2007126892.tif 000002
【特許請求の範囲】
【請求項１】
建造物の中空部内に、アスファルト系乳剤とセメントとゲル化剤との混合組成物を含む折れ抑制剤を装填したことを特徴とする中空状建造物。
【請求項２】
請求項１記載の中空状建造物において、前記折れ抑制剤中にさらに緩衝材が混合分散されていることを特徴とする中空状建造物。
【請求項３】
請求項１記載の中空状建造物において、その中空状建造物の一部が基礎ブロックに埋設され、更にその基礎ブロックが地盤に埋設されて、その基礎ブロックと地盤との間に振動減衰層が設けられていることを特徴とする中空状建造物。
【請求項４】
請求項３記載の中空状建造物において、前記振動減衰層がアスファルト系乳剤とセメントとゲル化剤と緩衝材との混合組成物で構成されていることを特徴とする中空状建造物。
【請求項５】
請求項３記載の中空状建造物において、前記基礎ブロックの周囲に前記振動減衰層が２重以上の多層構造になっていることを特徴とする中空状建造物。
【発明の詳細な説明】
【技術分野】
【０００１】
本発明は、例えば街路灯、道路標識灯、各種ポール類などのような中空状をした建造物に係り、特に或る程度の高さを有する中空状建造物が地震などの外部からの振動によって途中から折れ曲がるのを抑制、防止する技術に関するものである。
【背景技術】
【０００２】
街中には街路灯、道路標識灯、交通信号灯などのポール部材を用いた中空状建造物がいたる所に林立しており、街路灯の場合はその建造物の上部付近に電灯器具が、道路標識灯の場合には表示板が、交通信号灯の場合は信号機が、それぞれ取り付けられている。
【発明の開示】
【発明が解決しようとする課題】
【０００３】
前記電灯器具、表示板、信号機などの機能ユニットは或る程度の重量を有しているため、例えば地震が発生したときには、機能ユニットの重量も加わって中空状建造物が大きく揺れて、前記機能ユニットが脱落したり、建造物の途中から折れ曲がったりあるいは横倒しになり、各種の損傷、弊害をもたらす。特に道路上で街路灯、道路標識灯、交通信号灯などが折れ曲がったりあるいは横倒しになると、地震時の避難行動や地震後の救助活動などに多大の障害を与えることになる。また中空状建造物の中に２次電池やコード線などが内蔵されている場合は、その建造物が折れ曲がることにより、断線などの不都合を生じる。
【０００４】
本発明の目的は、このような従来技術の欠点を解消し、例えば地震などの外部からの振動によっても折れ難く転倒し難い建造物を提供することにある。
【課題を解決するための手段】
【０００５】
前記目的を達成するために、本発明の第１の手段は、例えば街路灯などの建造物の中空部内に、アスファルト系乳剤とセメントと例えば吸水性ポリマーなどからなるゲル化剤との混合組成物を含む折れ抑制剤を装填したことを特徴とするものである。
【０００６】
本発明の第２の手段は前記第１の手段において、前記折れ抑制剤中にさらに例えばゴム物質などの緩衝材が混合分散されていることを特徴とするものである。
【０００７】
本発明の第３の手段は前記第１の手段において、その中空状建造物の一部が基礎ブロックに埋設され、更にその基礎ブロックが地盤に埋設されて、その基礎ブロックと地盤との間に振動減衰層が設けられていることを特徴とするものである。
【０００８】
本発明の第４の手段は前記第３の手段において、前記振動減衰層がアスファルト系乳剤とセメントとゲル化剤と緩衝材との混合組成物で構成されていることを特徴とするものである。
【０００９】
本発明の第５の手段は前記第３の手段において、前記基礎ブロックの周囲に前記振動減衰層が２重以上の多層構造になっていることを特徴とするものである。
【発明の効果】
【００１０】
本発明の第1の手段は前述のように、建造物の中空部内に、アスファルト系乳剤とセメントとゲル化剤との混合組成物を含む折れ抑制剤が装填されているから、地震などの外部からの振動が加わっても前記折れ抑制剤が振動エネルギーを有効に吸収し、建造物が途中から折れることが抑制できる。
【００１１】
本発明の第２の手段は前述のように、折れ抑制剤中にさらに緩衝材が混合分散されているから、前記振動エネルギーをさらに有効に吸収し、建造物の折れ抑制効果が高められる。
【００１２】
本発明の第３の手段は前述のように、中空状建造物の一部が基礎ブロックに埋設され、更にその基礎ブロックが地盤に埋設されて、その基礎ブロックと地盤との間に振動減衰層が設けられているから、地震などの外部からの振動が加わっても前記振動減衰層が振動エネルギーを有効に吸収し、建造物が横倒しになることが防止できる。
【００１３】
本発明の第４の手段は前述のように、振動減衰層がアスファルト系乳剤とセメントとゲル化剤と緩衝材との混合組成物で構成されているから、振動エネルギーを有効に吸収し、建造物が横倒しになることが防止できる。
【００１４】
本発明の第５の手段は前述のように、基礎ブロックの周囲を多層構造の振動減衰層で囲んでいるから、振動エネルギーをさらに有効に吸収して、建造物の横倒し防止効果が高められる。
【発明を実施するための最良の形態】
【００１５】
次に本発明の実施形態を図とともに説明する。図１は、第１実施形態に係る街路灯の一部を断面にした側面図である。
【００１６】
この街路灯は、ポール状の支柱１の途中上部に例えばＬＥＤなどからなる照明器具２が取り付けられ、支柱１の頭部にはパネル状の太陽電池３が取り付けられている。また、支柱１の大径の下部分には２次電池４が内蔵され、太陽電池３と２次電池４ならびに２次電池４と照明器具２はコード線６で電気的に接続されている。
【００１７】
昼間に太陽電池３は太陽光１０を受光して発電し、それによって２次電池４を充電し、夜間になると２次電池４に蓄えられた電気エネルギーによって照明器具２を点灯する仕組みになっている。支柱１の下部は、コンクリートからなる基礎ブロック５に埋設、固定されている。支柱１の埋設部分には、複数枚の補強部材１１が溶接固定されている。
【００１８】
支柱１の中空部の大部分には、折れ抑制剤７が注入して装填（充填）されている。また、前記基礎ブロック５を埋設、固定する地盤８の基礎ブロック埋設位置の周囲四辺を縦に基礎ブロック５よりも深く掘り込んで、そこに振動減衰剤を注入して基礎ブロック５の周辺に振動減衰層９が形成されている。
【００１９】
前記支柱１の中空部に装填（充填）される折れ抑制剤７は、基本的にはアスファルト系乳剤とセメントとゲル化剤との混合組成物を含んでいる。前記アスファルト系乳剤は、乳化剤を含む水とアスファルト系材料を混合、分散することによって得られる。
【００２０】
前記乳化剤としては、例えば陰イオン界面活性剤、非イオン界面活性剤ならびに両性界面活性剤などが用いられる。前記陰イオン界面活性剤の具体例としては、例えばセッケン、硫酸アルキル（ポリオキシエチレン）塩、アルキルベンゼンスルホン酸塩、α−オレフィンスルホン酸塩、アルキルナフタレンスルホン酸塩などを挙げることができる。非イオン界面活性剤の具体例としては、例えばアルキルポリオキシエチレンエーテル、アルキルフェニルポリオキシエチレンエーテル、アルキルカルボニルオキシポリオキシエチレンなどを挙げることができる。
【００２１】
前記アスファルト系材料としては、例えば重油を減圧蒸留して残油として得られるストレートアスファルト、前記残油に重質潤滑油溜分を混合して軟らかくして、エアブローイングして得られるブローンアスファルトが用いられる。前記ストレートアスファルトならびにブローンアスファルトは、硬さのバロメータとなる針入度によって複数に分類されているから、その中から適度の針入度を有するストレートアスファルトあるいは（ならびに）ブローンアスファルトを選択すればよい。
【００２２】
前記ゲル化剤としては、例えばセルロース誘導体、吸水性ポリマーならびに吸水性無機化合物などがある。前記セルロース誘導体の具体例としては、例えばメチルセルロース、ヒドロキシエチルセルロース、カルボキシメチルセルロースなどを挙げることができる。また吸水性ポリマーの具体例としては、例えばポリビニールアルコール、ポリアクリルアミド、ポリエチレンオキシド、ポリメチレンオキシド、ポリアクリル酸などを挙げることができる。さらに吸水性無機化合物の具体例としては、例えばゼオライトなどを挙げることができる。
【００２３】
乳化剤を含む水約３０重量％〜７０重量％とアスファルト系材料約７０重量％〜３０重量％を混合、分散し、この混合物１００重量部に対してゲル化剤を約２〜２０重量部混合、分散することによりアスファルト系乳剤を得ることができる。このゲル化剤の添加により組成物がゲル化して、水に分散、希釈するのを防止する。そしてこのアスファルト系乳剤１００重量部に対して、例えば約２０重量部〜６０重量部のセメントが添加されて均一に攪拌混合される。
【００２４】
本発明に係る折れ抑制剤７は、アスファルト系乳剤とセメントとの混合組成物を含んでいることを基本的な構成としているが、この基本組成物に例えばセメント混和剤や緩衝材を混合することもできる。
【００２５】
セメント混和剤としては、例えば水ガラスや塩化スズなどの硬化促進剤、ポリアクリルアミドの一部加水物などの凝固剤、ポリビニルアルコールなとの増粘剤、発泡剤、ラテックスやポリビニルアセテートサスペンションなどの防水剤が適宜使用される。また緩衝材としては、例えば合成ゴムや天然ゴムなどのゴム性物質、塩化ビニルやポリエチレンテレフタレートなどの合成樹脂、無機繊維や有機繊維などの繊維状物質、砂，小石，セラミックス，フライアッシュなどの無機物質、無公害処理された産業廃棄物などからなる粒状，粉末状，チップ状，細片状のものが用いられる。
【００２６】
前記振動減衰層９は地震などの振動エネルギーを吸収．緩和するために設けられるもので、その深さならびに厚さは適宜に設定される。振動減衰層９を形成する振動減衰剤としては前記折れ抑制剤７と同様のものが使用できるが、抑制剤７と振動減衰剤は混合物の組成比を変えることもできる。
【００２７】
折れ抑制剤７は前述のような組成物からなり、ゲルタイムならびに圧縮強度が調整可能であり、水中でも分離せず、体積変化がなく、ラインミキサーなどでの施工が容易であるなどの特長を有している。図１に示すように支柱１の内部に内蔵物（例えば２次電池４やコード線６など）がある場合、その内蔵物の周囲を折れ抑制剤７で取り囲むことにより、地震時に内蔵物の保護材としても機能する。
【００２８】
折れ抑制剤７の具体的な特性の一例を示せば、次の通りである。地震波の縦波ならびに横波を良好に吸収する。透水率：１．５×１０−9ｃｍ／ｓｅｃ、一軸圧縮強度：０．６８ＭＰａ、単位体積重量：１．３〜１．４ｇ／ｃｍ3、破壊歪：０．５％、耐寒耐熱温度：−３０℃から３００℃。
【００２９】
図２は、本発明の第２実施形態を示す一部縦断面図である。本実施形態で前記第１実施形態と相違する点は、基礎ブロック５の底部も緩衝層９で囲んだ点である。
【００３０】
図３ならびに図４は、本発明の第３実施形態を示す一部縦断面図ならびに横断面図である。本実施形態で前記第１実施形態と相違する点は、基礎ブロック５の周囲四辺を基礎ブロック５よりも若干深く掘り込んで第１の溝を形成し、その第１の溝の周囲四辺を第１の溝よりもさらに深く掘り込んで第２の溝を形成して、これらの溝に振動減衰剤を注入して第１の振動減衰層９ａと第２の振動減衰層９ｂを形成した点である。本実施形態では振動減衰層９を二重に形成したが、三重以上形成することもできる。
【００３１】
前記実施形態では街路灯の例を示したが、本発明はこれに限定されるものではなく、例えば道路標識灯、交通信号灯、旗の掲揚台、ゴルフ練習場や各種スポーツ施設での支持ポール、電柱、ガスタンクや工場などの設備の支柱、広告用支持ポール、監視カメラ用支持ポール、各種ポール類（通信アンテナ、コンクリートパイル、ゴルフシャフト、鋼管杭等）など他の建造物にも適用可能である。
【図面の簡単な説明】
【００３２】
【図１】本発明の第１実施形態に係る街路灯の一部を断面にした側面図である。
【図２】本発明の第２実施形態に係る街路灯の一部縦断面図である。
【図３】本発明の第３実施形態に係る街路灯の一部縦断面図である。
【図４】その街路灯の一部横断面図である。
【符号の説明】
【００３３】
１：支柱、２：照明具、３：太陽電池、４：２次電池、５：基礎ブロック、６：コード線、７：折れ抑制剤、８：地盤、９：振動減衰層、９ａ：第１の振動減衰層、９ｂ：第２の振動減衰層、１０：太陽光、１１：補強部材。
【図１】
2007126892.tif 000003
【図２】
2007126892.tif 000004
【図３】
2007126892.tif 000005
【図４】
2007126892.tif 000006